(57)【要約】【課題】個人情報と位置情報を利用した多種多様できめ細かなサービスを提供する。【解決手段】情報提供システム又は情報提供方法において、個人情報及び位置情報を発信する個人情報提供者と、情報を要求する情報要求者と、個人情報提供者から発信された個人情報及び位置情報を収集・記録し、情報要求者からの情報処理要求が行われた場合には、収集・記録した個人情報及び位置情報を要求に応じて処理・加工し、情報要求者に対して送信し、情報要求者からポイントを回収し、個人情報提供者にはポイントを付与する情報収集処理者とで構成される。【選択図】  図１
2004341861.tif 000002
【特許請求の範囲】
【請求項１】
個人情報を発信する個人情報提供者装置と、情報を要求する情報要求者装置と、前記個人情報提供者装置から発信された個人情報を収集・記録し、前記情報要求者装置からの情報処理要求が行われた場合には、前記収集・記録した個人情報を要求に応じて処理・加工し、前記情報要求者装置に対して送信する情報収集処理者装置とで構成され、前記個人情報提供者装置から発信された個人情報を、前記情報収集処理者装置が収集・記録し、前記情報要求者装置からの情報処理要求に応じて、前記収集・記録した個人情報を要求に応じて処理・加工し、前記情報要求者装置に対して送信することを特徴とする情報提供システム又は情報提供方法。
【請求項２】
請求項１記載の情報提供システム又は情報提供方法において、前記情報収集処理者装置が、前記個人情報提供者装置に、発信された個人情報に応じてポイント又は情報料を付与し、情報処理要求を行った前記情報要求者装置からは要求された情報に応じてポイント又は情報料を回収することを特徴とする、請求項１記載の情報提供システム又は情報提供方法。
【請求項３】
個人情報及び現在の位置情報を発信する個人情報提供者装置と、情報を要求する情報要求者装置と、前記個人情報提供者装置から発信された個人情報及び現在の位置情報を収集・記録し、前記情報要求者装置からの情報処理要求が行われた場合には、前記収集・記録した個人情報及び現在の位置情報を要求に応じて処理・加工し、前記情報要求者装置に対して送信する情報収集処理者装置とで構成され、前記個人情報提供者装置から発信された個人情報及び現在の位置情報を、前記情報収集処理者装置が収集・記録し、前記情報要求者装置からの情報処理要求に応じて、前記収集・記録した個人情報及び現在の位置情報を要求に応じて処理・加工し、前記情報要求者装置に対して送信することを特徴とする情報提供システム又は情報提供方法。
【請求項４】
請求項３記載の情報提供システム又は情報提供方法において、前記情報収集処理者装置が、前記個人情報提供者装置に、発信された個人情報及び現在の位置情報に応じてポイント又は情報料を付与し、情報処理要求を行った前記情報要求者装置からは要求された情報に応じてポイント又は情報料を回収することを特徴とする、請求項３記載の情報提供システム又は情報提供方法。
【発明の詳細な説明】
【０００１】
【発明の属する技術分野】
本発明は、ユーザから発信される個人情報及び現在の位置情報を収集し、あるユーザからの要求に従って処理された情報を提供する情報提供システム又は情報提供方法に関する。
【０００２】
【従来の技術】
ユーザから発信される個人情報を基に、処理・加工した情報をユーザに提供するようなシステムは従来から多数考えられている。例えば、特許文献１では、資源サービスを要求するクライアントと資源サービスを提供するサーバがネットワーク接続された分散環境下で、クライアント・ユーザの個人情報を好適に管理し、ユーザの個人情報を基にカスタマイズした資源を提供する技術について述べられている。すなわち、ユーザから発信された個人情報を基に、予め蓄積しておいたデータ・資源を処理・カスタマイズし、その結果をユーザに提供するといったシステムである。
【０００３】
【特許文献１】
特開２０００−２４２６５８号公報
【０００４】
【発明が解決しようとする課題】
前記従来技術によるシステムでは、ユーザから発信される個人情報は、予め用意されたデータをカスタマイズするために参照される程度であって、個人情報そのものが処理・カスタマイズされるわけではない。そのため、多数のユーザの個人情報を活かしたきめ細かなサービスをユーザに提供することはできない。
【０００５】
本発明の目的は、多数のユーザから発信される個人情報及び位置情報を収集・記録し、あるユーザから要求された情報に基づいて、収集・記録した個人情報及び位置情報を処理・加工し、要求されたユーザに送信することにより、多種多様なサービスをユーザに提供することができるシステムを実現することにある。
【０００６】
本発明の更なる目的は、従来敬遠されがちであった個人情報の他人への開示について、個人情報及び位置情報を提供したユーザにはポイント又は情報料を付与し、処理された情報を要求したユーザからはポイント又は情報料を回収することにより、多数のユーザからの個人情報の開示を促進することにもある。
【０００７】
【課題を解決するための手段】
上記目的を達成するため、本発明における情報提供システム又は情報提供方法は、個人情報及び現在の位置情報を発信する個人情報提供者装置と、情報を要求する情報要求者装置と、前記個人情報提供者装置から発信された個人情報及び現在の位置情報を収集・記録し、前記情報要求者装置からの情報処理要求が行われた場合には、前記収集・記録した個人情報及び現在の位置情報を要求に応じて処理・加工し、前記情報要求者装置に対して送信する情報収集処理者装置とで構成され、前記個人情報提供者装置から発信された個人情報及び現在の位置情報を、前記情報収集処理者装置が収集・記録し、前記情報要求者装置からの情報処理要求に応じて、前記収集・記録した個人情報及び現在の位置情報を要求に応じて処理・加工し、前記情報要求者装置に対して送信することを特徴とする。このことにより、多数のユーザの個人情報を活かした多種多様かつきめ細かなサービスをユーザに提供することができる。
【０００８】
また、本発明における情報提供システム又は情報提供方法は、前記情報収集処理者装置が、前記個人情報提供者装置に、発信された個人情報及び現在の位置情報に応じてポイント又は情報料を付与し、情報処理要求を行った前記情報要求者装置からは要求された情報に応じてポイント又は情報料を回収することを特徴とする。このことにより、従来敬遠されがちであった多数のユーザからの個人情報の他人への開示を促進することができる。
【０００９】
【発明の実施の形態】
以下、本発明の実施の形態の一例を、各図面の簡単な説明に続いて、図面に基づき具体的に説明する。
【００１０】
図１は、本発明の情報提供システムの概略図を示している。本システムは、個人情報及び位置情報１０１を発信する個人情報提供者装置１０２、発信された個人情報及び位置情報１０１を収集・記録し、処理を行う情報収集処理者装置１０３、及び所望の情報１０４を情報収集処理者装置１０３に対して要求し、処理された情報１０５を受信する情報要求者装置１０６から構成される。各装置は、メモリに格納されたプログラムをＣＰＵが実行することにより所望の機能を実現する一般的な情報処理装置によって実現可能である。
【００１１】
図２は、本発明の情報提供システムの詳細図を示している。本システムでは、個人情報提供者装置１０２が個人情報及び位置情報を発信（２０１）し、情報収集処理者装置１０３が前記個人情報及び位置情報を収集・記録する。一方、情報要求者装置１０６は所望の情報要求を個人情報及び位置情報と共に情報収集処理者装置１０３に送信（２０２）し、情報収集処理者装置１０３は、要求に応じて情報を処理・加工し情報要求者装置１０６に結果を送信（２０３）し、所望の情報を受信した情報要求者装置１０６から受信した情報に応じたポイント又は情報料を回収（２０４）する。情報収集処理者装置１０３は、情報を提供した個人情報提供者装置１０２に対してポイント又は情報料を付与（２０５）する。
【００１２】
図３は、本発明の情報提供システムにおける簡単な構成図を示している。本システムでは、個人情報提供者装置及び情報要求者装置は、ＧＰＳ機能を備えた携帯端末３０１及び３１１を用いるものとし、各携帯端末３０１及び３１１は、入力情報や受信した情報を表示出力する表示・出力部３０２、発信する情報や所望の情報を入力する情報入力部３０３、発信する情報等を記録しておく情報記録部３０４、ＧＰＳの処理を行い位置情報を取得する位置情報処理部３０５、情報の発信や受信の処理を行う無線通信処理部３０６から構成される。また、情報収集処理者装置は、種々の情報を収集・記録するサーバ群３０７で構成され、情報収集処理者装置のサーバは、種々の情報処理を行う情報処理部３０８、収集または処理した情報を記録しておく情報記録部３０９、情報の受信や送信の処理を行う無線通信処理部３１０から構成される。個人情報提供者装置３０１、情報要求者装置３１１、及び情報収集処理者装置のサーバ群３０７は、無線網３１７を通じて情報の送受信を行う。
【００１３】
図４は、本発明の情報提供システムにおける、個人情報提供者装置の処理フローを示している。この処理フローは、当該装置内のメモリに格納されたプログラムをＣＰＵが処理することにより、実行される。予め提供すべき個人情報を設定（４０１）しておき、常時又は定期的に情報を発信（４０２）し、情報が活用されるとポイント又は情報料を受け取る（４０３）。
【００１４】
図５は、本発明の情報提供システムにおける、情報収集処理者装置の処理フローを示している。この処理フローは、当該装置内のメモリに格納されたプログラムをＣＰＵが処理することにより、実行される。個人情報提供者装置から発信された個人情報及び位置情報を受信（５０１）し、収集・記録する（５０２）。一方で、情報要求者装置からの情報処理要求を受信（５０３）すると、要求に応じた情報の処理を行い（５０４）、処理された結果を情報要求者装置に送信（５０５）する。送信した情報に応じたポイント又は情報料を情報要求者装置から回収（５０６）し、情報提供者装置に対してはポイント又は情報料を付与（５０７）する。
【００１５】
図６は、本発明の情報提供システムにおける、情報要求者装置の処理フローを示している。この処理フローは、当該装置内のメモリに格納されたプログラムをＣＰＵが処理することにより、実行される。所望の情報を入力・設定（６０１）し、設定した情報要求を位置情報と共に情報収集処理者装置に送信（６０２）する。情報収集処理者装置から情報処理結果を受信（６０３）すると、ポイント又は情報料を回収（６０４）される。
【００１６】
図７は、本発明の情報提供システムにおける、個人情報提供者装置が発信する情報を示している。個人情報提供者装置が発信する情報７０１は、位置情報７０２、提供する個人情報７０３、現在のポイント又は情報料の残高７０４から構成される。
【００１７】
図８は、本発明の情報提供システムにおける、情報収集処理者のサーバ内のデータの構成を示している。情報収集処理者のサーバ内のデータ８０１は、個人情報提供者装置から収集した個人情報及び位置情報８０２、情報要求者装置から受信した処理要求情報８０３、処理要求に応じて処理された情報８０４、情報要求者装置から回収したポイント又は情報料の情報、及び個人情報提供者へ付与するポイント又は情報料の情報を記録・管理しているポイント管理情報８０５から構成される。
【００１８】
図９は、本発明の情報提供システムにおける、情報要求者装置が送信する情報を示している。情報要求者装置が送信する情報９０１は、位置情報９０２、要求する所望の情報９０３、現在のポイント又は情報料の残高９０４から構成される。
【００１９】
図１０は、本発明の情報提供システムにおける、個人情報提供者装置に表示される画面の一例を示している。個人情報提供者装置に表示される画面１００１は、入力部により入力・設定された送信個人情報１００２、位置情報処理部により取得された位置情報１００３、現在のポイント又は情報料の残高１００４から構成される。
【００２０】
図１１は、本発明の情報提供システムにおける、情報要求者装置が情報収集処理者装置に情報を要求する際に、情報要求者装置に表示される画面の一例を示している。情報要求時に情報要求者装置に表示される画面１１０１は、要求する所望の情報１１０２、位置情報処理部により取得された位置情報１１０３、現在のポイント又は情報料の残高１１０４から構成される。
【００２１】
図１２は、本発明の情報提供システムにおける、情報要求者装置が情報収集処理者装置から処理された情報を受信した際に、情報要求者装置に表示される画面の一例を示している。要求情報受信時に情報要求者装置に表示される画面１２０１は、要求した所望の情報１２０２、位置情報処理部により取得された位置情報１２０３、現在のポイント又は情報料の残高１２０４から構成される。
【００２２】
以下、本発明の情報提供システム又は情報提供方法における実施の形態の一例について、図面を用いて説明する。
【００２３】
本発明の情報提供システム又は情報提供方法は、図１に示すように、個人情報及び位置情報１０１を発信する個人情報提供者装置１０２、発信された個人情報及び位置情報１０１を収集・記録し、所望の情報要求１０４を送信する情報要求者装置１０６、個人情報提供者装置１０２が発信した個人情報及び位置情報１０１を収集・記録し、情報要求者装置１０６からの情報処理要求に応じて処理された情報１０５を送信する情報収集処理者装置１０３で構成される。
【００２４】
図２〜図９において、個人情報提供者装置１０２が予め提供する個人情報を設定（４０１）しておき、設定した個人情報７０２及び現在の位置情報７０１を常時又は定期的に情報収集処理者装置１０３に発信（２０１、４０２）する。
【００２５】
この際、個人情報提供者装置１０２はＧＰＳ機能を備えた無線通信端末３０１を使用するものとし、提供する個人情報７０２は情報入力部３０３から入力し、情報記録部３０４に記録しておき、入力内容は表示・出力部３０２で確認する。また、位置情報７０１は位置情報処理部３０５により取得し、同様に表示・出力部３０２で確認できる。設定した個人情報７０２及び位置情報７０１は、無線通信処理部３０６により、無線網３１２を介して発信される。
【００２６】
次に、情報収集処理者装置１０３は、多数の個人情報提供者装置１０２から発信された個人情報７０２及び位置情報７０１を受信（５０１）し、当該情報８０１を収集・記録する（５０２）。
【００２７】
この際、無線網３１２を介して受信した個人情報７０２及び位置情報７０１は、情報収集処理者装置１０３の処理サーバ３０７群の無線通信処理部３１０で処理され、情報記録部３０９に記録しておく。
【００２８】
一方、情報要求者装置１０６は、情報収集処理者装置１０３に処理要求を行う所望の情報を設定（６０１）し、設定した所望の情報９０２を位置情報９０１及び現在のポイント残高９０３と共に情報収集処理者装置１０３に送信（２０２、６０２）する。
【００２９】
この際、情報要求者装置１０６は、個人情報提供者装置１０２と同様のシステム端末３１１を用い、要求する所望の情報９０２は情報入力部３０３から入力し、情報記録部３０４に記録しておき、入力内容は表示・出力部３０２で確認する。また、位置情報９０１は位置情報処理部３０５により取得し、同様に表示・出力部３０２で確認できる。設定した所望の情報９０２、位置情報９０１及び現在のポイント残高９０３は、無線通信処理部３０６により、無線網３１２を介して送信される。
【００３０】
次に、情報収集処理者装置１０３は、情報要求者装置１０６からの情報処理要求を受信（５０３）すると、要求された処理情報８０２に応じた処理を、各種情報データベース８０５内の当該情報と共に収集・記録した個人情報に対して行い（５０４）、情報処理結果８０３を情報要求者装置１０６へ送信（２０３、５０５）する。
【００３１】
この際、送信された情報処理要求９０２、位置情報９０１及びポイント残高９０３は、情報収集処理者装置１０３の処理サーバ３０７の無線通信処理部３１０で受信され、情報記録部３０９に記録し、要求された処理を、情報記録部３０９に記録された個人情報８０１と各種情報データベース８０５を用いて情報処理部３０８で行い、一旦情報記録部３０９に記録し、無線通信処理部３１０により、情報要求者装置１０６へ処理された情報８０３を送信する。
【００３２】
次に、所望の情報処理が行われた結果を受信（６０３）した情報要求者装置１０６は、情報収集処理者装置１０３に対して受信した情報に応じたポイント又は情報料を支払い（２０４、６０４）、情報収集処理者装置１０３はそのポイント又は情報料を、サーバ内のポイント管理情報８０４に従って回収（５０６）する。
【００３３】
この際、無線網３１２を介して情報収集処理者装置１０３が送信した処理結果は、情報要求者装置１０６のシステム端末３１１の無線通信処理部３１０で受信され、一旦情報記録部３０４に記録し、表示・出力部３０２で情報を表示する。同時に、情報収集処理者装置１０３の処理サーバ内のポイント管理情報８０４に従って、記録しておいた情報要求者装置１０６のポイント残高９０３からポイントを回収し、回収後の残高を無線通信処理部３１０により情報要求者装置１０６に送信し、情報要求者装置１０６は、無線網３１２を介してシステム端末３１１の無線通信処理部３０６で受信し、一旦情報記録部３０４に記録し、表示・出力部３０２でポイント残高を表示する。
【００３４】
次に、情報収集処理者装置１０３は情報要求者装置１０６からの情報処理要求の処理に使用した情報を提供した個人情報提供者装置１０２に対して、サーバ内のポイント管理情報８０４に従ってポイント又は情報料を付与（２０５、５０７）し、個人情報提供者装置１０２はそのポイント又は情報料を受け取る（４０３）。
【００３５】
この際、情報収集処理者装置１０３は、処理サーバ３０７内の情報記録部３０９に記録されているポイント管理情報８０４に従って、情報を提供した個人情報提供者装置１０２に付与するポイントを情報処理部３０８で算出し、無線通信処理部３１０により個人情報提供者装置１０２に送信される。一方、個人情報提供者装置１０２は、無線網３１２を介して、システム端末３０１の無線通信処理部３０６でポイント情報を受信し、情報記録部３０４に一旦記録し、ポイント残高を表示・出力部３０２で表示する。
【００３６】
例えば、「情報：Ａ」という情報を発信している人を検索するサービスにおいては、個人情報提供者装置１０２のシステム端末３０１に表示される画面１００１は、図１０に示すようなイメージになる。送信情報の一覧１００２、現在の位置情報１００３、現在のポイント残高１００４等が表示される。また、情報要求者装置１０６が所望の情報を設定する際に、システム端末３１１に表示される画面１１０１は図１１に示すようなイメージになる。所望の要求情報１１０２、現在の位置情報１１０３、現在のポイント残高１１０４等が表示される。また、情報要求者装置１０６が所望の情報を受信した際に、システム端末３１１に表示される画面１２０１は図１２に示すようなイメージになる。所望の情報１２０２、現在の位置情報１２０３、現在のポイント残高１２０４等が表示される。
【００３７】
以上の説明は、あくまでも一例であって、その他種々のサービスに適用することができる。
【００３８】
【発明の効果】
本発明の情報提供システム又は情報提供方法によれば、多数のユーザの個人情報を活かした多種多様かつきめ細かなサービスをユーザに提供することができる。また、本発明の情報提供システム又は情報提供方法によれば、多数のユーザからの個人情報の他人への開示を促進することができる。
【図面の簡単な説明】
【図１】本発明のシステム概略図。
【図２】本発明のシステム詳細図。
【図３】本発明のシステム構成図。
【図４】個人情報提供者の処理フロー図。
【図５】情報収集処理者の処理フロー図。
【図６】情報要求者の処理フロー図。
【図７】個人情報提供者の送信する情報例。
【図８】情報収集処理者のサーバ内のデータ例。
【図９】情報要求者の送信する情報例。
【図１０】個人情報提供者装置に表示される画面例。
【図１１】要求情報送信時に情報要求者装置に表示される画面例。
【図１２】要求情報受信時に情報要求者装置に表示される画面例。
【符号の説明】
１０１…個人情報及び位置情報、１０２…個人情報提供者装置１０３…情報収集処理者、１０４…所望の情報要求、１０５…処理された情報、１０６…情報要求者、２０１…個人情報及び位置情報を提供、２０２…所望の情報を要求、２０３…要求に応じて処理された情報を送信、２０４…受信した情報に応じたポイント又は情報料の支払い、２０５…提供した個人情報に応じたポイント又は情報料の付与、３０１…個人情報提供者のシステム端末、３０２…表示・出力部、３０３…情報入力部、３０４…情報記録部、３０５…位置情報処理部、３０６…無線通信処理部、３０７…情報収集処理者のシステム端末、３０８…情報処理部、３０９…情報記録部、３１０…無線通信処理部、３１１…情報要求者のシステム端末、３１２…無線網、４０１…提供する個人情報を指定、４０２…提供情報を発信、４０３…ポイント又は情報料の受け取り、５０１…個人情報及び位置情報を受信、５０２…受信した個人情報及び位置情報を収集し記録、５０３…情報処理要求を受信、５０４…要求に応じた情報の処理、５０５…情報処理結果を送信、５０６…情報要求者からポイント又は情報料を回収、５０７…情報提供者へポイント又は情報料を付与、６０１…要求する情報を設定、６０２…所望の情報処理要求及び個人情報を送信、６０３…所望の情報処理結果を受信、６０４…受信した情報に応じたポイント又は情報料の支払い、７０１…位置情報、７０２…提供する個人情報、８０１…個人情報及び位置情報、８０２…受信した処理要求情報、８０３…処理された情報、８０４…ポイント管理情報、８０５…各種情報データベース、９０１…位置情報、９０２…所望の情報、９０３…現在のポイント又は情報料の残高、１００１…個人情報提供者装置に表示される画面例、１００２…送信情報、１００３…位置情報、１００４…ポイント又は情報料の残高、１１０１…情報要求者装置に表示される画面例、１１０２…要求する所望の情報、１１０３…位置情報、１１０４…ポイント又は情報料の残高、１２０１…情報要求者装置に表示される受信した情報の表示例、１２０２…受信した所望の情報、１２０３…位置情報、１２０４…ポイント又は情報料の残高。
【図１】
2004341861.tif 000003
【図２】
2004341861.tif 000004
【図３】
2004341861.tif 000005
【図４】
2004341861.tif 000006
【図５】
2004341861.tif 000007
【図６】
2004341861.tif 000008
【図７】
2004341861.tif 000009
【図８】
2004341861.tif 000010
【図９】
2004341861.tif 000011
【図１０】
2004341861.tif 000012
【図１１】
2004341861.tif 000013
【図１２】
2004341861.tif 000014